(57)【要約】【課題】  送り羽根の回転速度を上げることなく木材を効率良く短時間に破砕できる低コストの木材破砕装置を提供する。【解決手段】  上方に木材の投入口２ａを開口した円筒状のケーシング２内にカッター３ａを先端に備えた送り羽根３を回転自在に設け、ケーシング２の投入口２ａ近傍に投入した木材Ｗを送り羽根３のカッター３ａとすり切って荒破砕する受け刃４を設け、ケーシング２の下部に凹所２ｂを形成し、同凹所２ｂに送り羽根３で下方へ送られた荒破砕の木材片Ｗａを細破砕する破砕機５を設け、ケーシング２の曲面に細破砕した木材片Ｗａをケーシング２外へ通過させる所定大きさの多孔を形成し、同多孔を通過した細破砕の木材片Ｗａをケーシング２の下方へ吸引するファンをケーシングの下部に設け、同ファンで吸引された細破砕の木材片を貯留する貯槽をケーシングの下部に設けた。【選択図】          図３  
0003108882.tif 000002
【実用新案登録請求の範囲】
【請求項１】
上方に木材の投入口を開口した円筒状のケーシング内にカッターを先端に備えた送り羽根を回転自在に設け、ケーシングの投入口に投入した木材を送り羽根のカッターとすり切って荒破砕する受け刃を設け、ケーシングの下部に凹所を形成し、同凹所に送り羽根で下方へ送られた荒破砕の木材片を細破砕する破砕機を設け、ケーシングの側面に細破砕した木材片をケーシング外へ通過させる所定径の多孔を形成し、同多孔を通過した細破砕の木材片をケーシングの下方へ吸引するファンを設け、同ファンで吸引した細破砕の木材片を貯留する貯槽を設けたことを特徴とする木材破砕装置。
【請求項２】
破砕機が、複数のカッターを突設した回転軸を水平に軸支し、同回転軸のカッターとすり切る受け刃をケーシング下部の凹所に突設した構造である請求項１記載の木材破砕装置。
【請求項３】
ケーシングの側面にケーシングの多孔を通過した木材片をファンの周囲へ案内して落下させるシュートを設けた請求項１又は２記載の木材破砕装置。
【請求項４】
破砕機が設けられた凹所の底面に異物を回収する小凹所を形成し、同小凹所の底板を脱着自在にした請求項１〜３いずれか記載の木材破砕装置。
【請求項５】
ファンで吸引した貯槽内の空気をケーシングの投入口に送気して循環させる連通路を設けた請求項１〜４いずれか記載の木材破砕装置。
【考案の詳細な説明】
【技術分野】
【０００１】
本考案は、木材をチップ状に破砕する装置に関する。
【背景技術】
【０００２】
従来の木材破砕装置としては、木材の投入口を開口した円筒状のケーシング内にカッターを先端に備えた送り羽根を回転自在に設け、ケーシングの内面に投入した木材を送り羽根のカッターとすり切って破砕する受け刃を設け、ケーシングの曲面に破砕した木材片をケーシング外へ通過させる所定大きさの多孔を形成し、同多孔を通過させて破砕した木材片をケーシングの下方へ誘引するようにした構造のものがある（例えば特許文献１参照）。
【０００３】
ところで、前記構造の木材破砕装置は、木材はケーシングの多孔を通過するまでケーシング内を循環するが、送り羽根が大きい分木材がカッターや受け刃に接する頻度が減少して破砕に時間を要し、破砕効率が悪いという問題点があった。また、送り羽根は一般に大型であるから回転速度を上げるにも限度があり、駆動力の大きいモータも必要でコストがかかる問題があった。
【特許文献１】特許第３２５７７７８号公報
【考案の開示】
【考案が解決しようとする課題】
【０００４】
本考案が解決しようとする課題は、従来のこれらの問題点を解消し、送り羽根の回転速度を上げることなく木材を効率良く短時間に破砕できる低コストの木材破砕装置を提供することにある。
【課題を解決するための手段】
【０００５】
かかる課題を解決した本考案の構成は、
１）  上方に木材の投入口を開口した円筒状のケーシング内にカッターを先端に備えた送り羽根を回転自在に設け、ケーシングの投入口に投入した木材を送り羽根のカッターとすり切って荒破砕する受け刃を設け、ケーシングの下部に凹所を形成し、同凹所に送り羽根で下方へ送られた荒破砕の木材片を細破砕する破砕機を設け、ケーシングの側面に細破砕した木材片をケーシング外へ通過させる所定径の多孔を形成し、同多孔を通過した細破砕の木材片をケーシングの下方へ吸引するファンを設け、同ファンで吸引した細破砕の木材片を貯留する貯槽を設けたことを特徴とする木材破砕装置
２）  破砕機が、複数のカッターを突設した回転軸を水平に軸支し、同回転軸のカッターとすり切る受け刃をケーシング下部の凹所に突設した構造である前記１）記載の木材破砕装置
３）  ケーシングの側面にケーシングの多孔を通過した木材片をファンの周囲へ案内して落下させるシュートを設けた前記１）又は２）記載の木材破砕装置
４）  破砕機が設けられた凹所の底面に異物を回収する小凹所を形成し、同小凹所の底板を脱着自在にした前記１）〜３）いずれか記載の木材破砕装置
５）  ファンで吸引した貯槽内の空気をケーシングの投入口に送気して循環させる連通路を設けた前記１）〜４）いずれか記載の木材破砕装置
にある。
【考案の効果】
【０００６】
本考案によれば、荒破砕された木材片が送り羽根で破砕機へ送られて高速に細破砕され、所要の大きさになった木材片がケーシングの多孔を通過する。従って、破砕効率が向上し、送り羽根を大型にしても効率が悪化することがない。また、送り羽根を高速化することなく効率を高めることができるから、送り羽根をより大型化して多様な大きさや形状の木材を破砕できる。
【考案を実施するための最良の形態】
【０００７】
本考案の破砕機は、ケーシング下部の凹所の内面に複数の受け刃を突設し、同受け刃とすり切るカッターを突設した回転軸を水平に軸支し、凹所の受け刃と回転軸のカッターのすり切りで荒破砕した木材片を細破砕できる構造で、送り羽根より小径で且つおよそ倍速の回転で駆動される。ケーシングの曲面下方には多孔を通過した細破砕の木材片をファンの周囲へ案内するシュートを設け、ファンに直接落下しないようにしてトラブルを防止する。破砕機が設けられた凹所の底面には異物を回収する小凹所を形成し、木材以外の金属片等が木材片に混入しないようにする。以下、本考案の実施例を図面に基づいて具体的に説明する。
【実施例１】
【０００８】
図１は実施例の木材破砕装置の外観図、図２は実施例の木材破砕装置の内部説明図、図３は実施例の送り羽根の説明図、図４，５は実施例の破砕機の説明図、図６は実施例の投入口の説明図、図７は実施例のケーシングの説明図、図８は実施例の破砕機の説明図である。
【０００９】
本実施例の木材破砕装置１は、図１〜５に示すように上方に木材Ｗの投入口２ａを開口した円筒状のケーシング２内にカッター３ａを先端に備えた送り羽根３を回転自在に設け、ケーシング２の投入口２ａ近傍に投入した木材Ｗを送り羽根３のカッター３ａとすり切って荒破砕する受け刃４を設け、ケーシング２の下部に形成した凹所２ｂに送り羽根３で下方へ送られた荒破砕の木材片Ｗａを細破砕する破砕機５を設けている。３ｂは回転軸、３ｃは送り羽根３を固定する環状体、３ｄはモータ、３ｅはベルトである。
【００１０】
ケーシング２の曲面には細破砕した木材片Ｗａをケーシング２外へ通過させる直径５ｍｍの多孔２ｃを形成し、同多孔２ｃを通過して細破砕の木材片Ｗａをケーシング２の下方へ吸引するファン６をケーシング２の下部に設け、同ファン６で吸引された細破砕の木材片Ｗａを貯留する貯槽７をケーシング２の下部に設け、凹所２ｂの底面に底蓋付きの小凹所２ｄを形成している。
【００１１】
破砕機５は、ケーシング２の凹所２ｂの内面に複数の受け刃５ｄを突設し、同受け刃５ｄとすり切るカッター５ｂ，５ｃを突設した回転軸５ａを水平に軸支し、凹所２ｂの受け刃５ｄと回転軸５ａの各カッター５ｂ，５ｃのすり切りで荒破砕した木材片Ｗａを細破砕できる構造としている。回転軸５ａの軸端はモ−タ５ｅとベルト５ｈで掛架されるプーリ５ｆの軸とカップリング５ｇで脱着自在に連結し、破砕機５の交換やメンテナンスを容易にしている。
【００１２】
ケーシング２の曲面下方には多孔２ｃを通過した細破砕の木材片Ｗａをファン６の周囲へ案内するシュート８を設けている。貯槽７の側面は開放してファン６で吸引した気体のみを外部へ排気するフィルタ付きの扉７ａを開閉自在に設けている。ファン６を回転させるモータ６ａは貯槽７の外面に取り付け、モータ６ａの出力軸とファン６の回転軸６ｂとの間にベルト６ｃを掛架して駆動力を伝達するようにしている。
【００１３】
本実施例では、モータ３ｅ，５ｅ，６ａをそれぞれ作動させて送り羽根３，破砕機５，ファン６を回転させる。回転数は送り羽根が５００ｒｐｍ，破砕機５は１０００ｒｐｍである。図６〜８に示すように投入口２ａへ木材Ｗを投入すると、カッター３ａと受け刃４とで荒破砕されてケーシング２内に落下し、送り羽根３で回転方向へ送られる。送られた木材片Ｗａは下方の凹所２ｂへ移行し、破砕機５でさらに細かく破砕される。
【００１４】
細破砕された木材片Ｗａは破砕機５の回転力で上方へ跳ね上げられ、再び送り羽根３で回転方向へ送られる。このとき、木材Ｗの中に混入していた金属片等の異物Ｂは比重差により下方の小凹所２ｄに落下して回収される。送られた木材片Ｗａは寸法がおよそ５ｍｍ前後となっている場合は送りによる遠心力でケーシング２の多孔２ｃを通過する。多孔２ｃを通過した木材片Ｗａはシュート８でファン６の両側へ案内され、ファン６に直接落下することで生じるトラブルが防止される。
【００１５】
多孔２ｃを通過した木材片Ｗａはファン６の吸引力で下方へ誘引されて貯槽７に落下し、吸引した気体のみがフィルタ付きの扉７ａから排気して貯槽７内に木材片Ｗａが貯留していく。一度の破砕で５ｍｍとならない場合は送り羽根３で再度破砕機５に送られて細破砕され、多孔２ｃを通過できる大きさになるまで循環的に繰り返される。
【００１６】
本実施例はこのように構成したから、送り羽根３の下方に送り羽根３より小さい径の破砕機５を備えたことで、荒破砕された木材片Ｗａが送り羽根３で破砕機５へ送られて高速に細破砕され、所要の大きさになった木材片Ｗａがケーシング２の多孔２ｃを通過することで、破砕効率がおよそ２〜３倍に向上し、送り羽根３を大型にしても効率が悪化することがない。また、送り羽根３を高速化することなく効率を高めることができるから、送り羽根３をより大型化して多様な大きさや形状の木材を破砕できる。
【００１７】
図９に示すのは、実施例の木材破砕装置の他の例である。図９は実施例の他の例の木材破砕装置の外観図である。図中、９は投入ブース、９ａはカーテン、１０は連通路、１１は木材Ｗを投入ブースへ搬送するコンベヤ、Ａは空気である。
【００１８】
図９に示す木材破砕装置１は、ケーシング２の投入口２ａにカーテン９ａを吊下したフード状の投入ブース９を取り付け、同投入ブース９と貯槽７とを連通路１０で連通している。ファン６で破砕した木材片Ｗａを貯槽７へ吸引する際、同時に吸引した空気Ａを連通路１０で投入ブース９を通じてケーシング２内へ送気し、空気Ａを循環させて外部に排気させないようにする。カーテン９ａは送気された空気Ａが外部へ漏れないように遮断する。
【００１９】
前記の実施例ではフィルタ付き扉７ａから排気していたが、フィルタが目詰まりを起こして吸引の効率が低下したり、荒いメッシュのフィルタでは木材Ｗの破砕粉が排出される問題がある。実施例の他の例では空気Ａを循環させるから、破砕粉が外部に排出させることがなく、吸引の効率も低下しないものである。その他、符号、構成は実施例と同じである。
【産業上の利用可能性】
【００２０】
本考案の木材破砕装置は、木造建物の解体材，廃材，木工時に排出される端材，その他木工に利用し難い枝材等のチップ化に使用され、得られた木材片は建築用パネルの原料やボイラーの燃料等に利用される。
【図面の簡単な説明】
【００２１】
【図１】実施例の木材破砕装置の外観図である。
【図２】実施例の木材破砕装置の内部説明図である。
【図３】実施例の送り羽根の説明図である。
【図４】実施例の破砕機の説明図である。
【図５】実施例の破砕機の説明図である。
【図６】実施例の投入口の説明図である。
【図７】実施例のケーシングの断面説明図である。
【図８】実施例の破砕機の説明図である。
【図９】実施例の他の例の木材破砕装置の外観図である。
【符号の説明】
【００２２】
１  木材破砕装置
２  ケーシング
２ａ  投入口
２ｂ  凹所
２ｃ  多孔
２ｄ  小凹所
３  送り羽根
３ａ  カッター
３ｂ  回転軸
３ｃ  環状体
３ｄ  モータ
３ｅ  ベルト
４  受け刃
５  破砕機
５ａ  回転軸
５ｂ，５ｃ  カッター
５ｄ  受け刃
５ｅ  モータ
５ｆ  プーリ
５ｇ  カップリング
５ｈ  ベルト
６  ファン
６ａ  モータ
６ｂ  回転軸
６ｃ  ベルト
７  貯留槽
７ａ  フィルタ付き扉
８  シュート
９  投入ブース
９ａ  カーテン
１０  連通路
１１  コンベヤ
Ａ  空気
Ｂ  異物
Ｗ  木材
Ｗａ  木材片
【図１】
0003108882.tif 000003
【図２】
0003108882.tif 000004
【図３】
0003108882.tif 000005
【図４】
0003108882.tif 000006
【図５】
0003108882.tif 000007
【図６】
0003108882.tif 000008
【図７】
0003108882.tif 000009
【図８】
0003108882.tif 000010
【図９】
0003108882.tif 000011